(57)【要約】【課題】複数のエリアが存在する施設において、エリアごとにきめ細かく電力制御を行う。【解決手段】入退室管理システム１００において、入退室コントローラ装置１０１が、入り側カードリーダ１０２及び出側カードリーダ１０３を用いてエリアごとに入退室状況を監視して、各エリアの所在人数を判断する。ビル管理システム２００において、デマンド監視制御装置２０１は、複数のエリアに配置されている空調システム２０２及び照明システム２０３を管理し、入退室コントローラ装置１０１により判断された各エリアの所在人数に基づき、人がいるエリアの空調、照明の稼働は維持する一方で無人のエリアに配置されている空調、照明の稼働を停止させて、無駄な電力消費を抑制する。【選択図】図１
2011010497.tif 000002
【特許請求の範囲】
【請求項１】
複数のエリアを監視対象とし、エリアごとに人の入退場状況を監視して各エリアの所在人数を判断するエリア入退場監視部と、
前記複数のエリアに配置されている複数の機器を管理し、前記エリア入退場監視部により判断された各エリアの所在人数に基づいてエリアごとに機器の稼働を制御して各エリアの電力消費量を調整する機器管理部とを有することを特徴とする制御装置。
【請求項２】
前記機器管理部は、
前記エリア入退場監視部により無人と判断されたエリアに配置されている機器の稼働を停止させることを特徴とする請求項１に記載の制御装置。
【請求項３】
前記機器管理部は、
機器の稼働を継続させることが要求されているエリアを稼働継続エリアとして記憶しており、
前記エリア入退場監視部により無人と判断されたエリアが稼働継続エリアに該当するか否かを判断し、当該エリアが稼働継続エリアに該当する場合に、当該エリアに配置されている機器の稼働を継続させることを特徴とする請求項１又は２に記載の制御装置。
【請求項４】
前記機器管理部は、
前記エリア入退場監視部により所在人数が特定数以下と判断されたエリアに配置されている機器の稼働を制御して当該エリアにおける電力消費量を減少させることを特徴とする請求項１〜３のいずれかに記載の制御装置。
【請求項５】
前記エリア入退場監視部は、
複数の領域に区分され各領域を利用する利用者が指定されている利用者指定エリアを監視対象とし、利用者指定エリアに対して、利用者ごとに入退場状況を監視して各利用者が利用者指定エリア内に所在しているか否かを判断し、
前記機器管理部は、
前記エリア入退場監視部により利用者指定エリア内に所在していないと判断された利用者の領域の近傍に配置されている機器の稼働を制御して当該エリアにおける電力消費量を減少させることを特徴とする請求項１〜４のいずれかに記載の制御装置。
【請求項６】
前記エリア入退場監視部は、
入退場が制限されている複数のエリアを監視対象とし、エリアごとに入退場のための認証処理を行い、認証処理の結果に基づいて各エリアの所在人数を判断することを特徴とする請求項１〜５のいずれかに記載の制御装置。
【請求項７】
前記機器管理部は、
電力消費のデマンド予測値が目標値を超える場合に、前記エリア入退場監視部により判断された各エリアの所在人数に基づいてエリアごとに機器の稼働を制御して各エリアの電力消費量を調整することを特徴とする請求項１〜６のいずれかに記載の制御装置。
【請求項８】
前記機器管理部は、
前記エリア入退場監視部により判断された各エリアの所在人数に基づいてエリアごとに機器の稼働を制御して各エリアの電力消費量を調整した後でも電力消費のデマンド予測値が目標値を超える場合に、予め削減対象として指定されている機器の稼働を制御して当該機器の電力消費量を減少させることを特徴とする請求項１〜７のいずれかに記載の制御装置。
【発明の詳細な説明】
【技術分野】
【０００１】
本発明は、ビル等の電力消費を契約電力の範囲に制御する技術に関する。
【背景技術】
【０００２】
本発明に関する技術として、特許文献１に記載の技術がある。
特許文献１では、電力消費設備によって使用された総使用電力量の実績値に基づいて求められたデマンド予測値が契約電力の範囲内になるように、複数の電力消費設備のうち予め定められた電力消費設備への供給電力を制御する技術が開示されている。
【先行技術文献】
【特許文献】
【０００３】
【特許文献１】特開平６−２８４５７２号公報
【発明の概要】
【発明が解決しようとする課題】
【０００４】
上述のように、特許文献１の技術は、予め定められた設備への電力供給を制御するものである。特許文献１の技術をオフィスビル等の建物に適用した場合は、この予め定められた設備とは、使用頻度の低いエリアにある照明機器、空調機器となることが考えられる。
この場合に、使用頻度の低いエリアに人が在室していた場合でも、デマンド予測値が契約電力を超える場合は強制的に使用頻度の低いエリアの設備の稼働を制限させるため、不都合が生じるという課題がある。
また、特許文献１の技術では、あるエリアの一部の領域には人がいないような場合に、当該一部の領域を対象とする設備に限定して稼働を制限するといった細かい調整ができず、このため、夏季の使用電力ピーク時等に無駄な消費電力を削減できないという課題がある。
【０００５】
この発明は、上記のような課題を解決することを主な目的の一つとしており、エリアごとに人の有無、所在人数を検知し、また、エリア内で人がいる領域、人がいない領域を検知して、きめ細かく電力制御を行う技術を実現することを主な目的とする。
【課題を解決するための手段】
【０００６】
本発明に係る制御装置は、
複数のエリアを監視対象とし、エリアごとに人の入退場状況を監視して各エリアの所在人数を判断するエリア入退場監視部と、
前記複数のエリアに配置されている複数の機器を管理し、前記エリア入退場監視部により判断された各エリアの所在人数に基づいてエリアごとに機器の稼働を制御して各エリアの電力消費量を調整する機器管理部とを有することを特徴とする。
【発明の効果】
【０００７】
本発明によれば、エリアごとに人の入退場状況を監視して各エリアの所在人数を判断し、各エリアの所在人数に基づいてエリアごとに機器の稼働を制御するため、人がいるエリアの機器の稼働は維持させながら人がいないエリアの機器の稼働を停止させることができ、利用者の利便性を確保しながら無駄な電力消費を抑制することができる。
【図面の簡単な説明】
【０００８】
【図１】実施の形態１に係る電力デマンド制御システムの構成例を示す図。
【図２】実施の形態１に係るエリア、各機器、入退室コントローラ装置、デマンド監視制御装置の関係例を示す図。
【図３】実施の形態１に係る入退室コントローラ装置の構成例を示す図。
【図４】実施の形態１に係るデマンド監視制御装置の構成例を示す図。
【図５】実施の形態１に係る在室情報の例を示す図。
【図６】実施の形態１に係る利用者領域情報の例を示す図。
【図７】実施の形態１に係る領域機器情報の例を示す図。
【図８】実施の形態１に係る電力デマンド制御システムの動作例を示すフローチャート図。
【図９】実施の形態１に係る入退室コントローラ装置、デマンド監視制御装置のハードウェア構成例を示す図。
【発明を実施するための形態】
【０００９】
実施の形態１．
図１は、本実施の形態に係る電力デマンド制御システム３００の構成例を示す。
電力デマンド制御システム３００は、複数のエリア（フロアー、部屋、テナント等）が収容されているビルの電力消費が契約電力の範囲に収まるように制御する。
電力デマンド制御システム３００は、制御装置の例である。
また、電力デマンド制御システム３００は、入退室管理システム１００とビル管理システム２００に大別される。
入退室管理システム１００は、入退室コントローラ装置１０１、入り側カードリーダ１０２、出側カードリーダ１０３により構成される。
また、ビル管理システム２００は、デマンド監視制御装置２０１、空調システム２０２、照明システム２０３により構成される。
従来のデマンド制御は、デマンド予測値が目標値を超える場合に、予め登録された機器（空調等）を遮断することにより契約電力を超えないように制御を行っているが、本実施の形態に係る電力デマンド制御システム３００は、入退室管理システムと連動することにより、遮断する機器を登録せずに制御する。
【００１０】
図２は、図１の各要素の関係を示す図である。
【００１１】
図２に示すように、電力デマンド制御システム３００が管理対象とするビルには、複数のエリア４００が存在し、各エリア４００には入退室制御のための扉５００が配置されている。
扉５００は、例えば、通行レーン式のフラッパーゲートや電気錠を備えた扉、自動扉等である。
そして、入り側カードリーダ１０２は、エリア４００外に配置され、エリア４００に入ろうとする通行者が、例えば、ＩＣカードをかざすことによりカードに格納されている当該通行者の認証情報を読み取り、読み取った認証情報を入退室コントローラ装置１０１に送信する。
また、出側カードリーダ１０３は、エリア４００内に配置され、エリア４００から出ようとする通行者が、例えば、ＩＣカードをかざすことによりカードに格納されている当該通行者の認証情報を読み取り、読み取った認証情報を入退室コントローラ装置１０１に送信する。
入退室コントローラ装置１０１は、入り側カードリーダ１０２又は出側カードリーダ１０３からの認証情報と照合情報とを照合して、通行者が扉５００を通行してもよいかの認証を行い、扉５００を通行してもよい場合には、扉５００を解錠する。
このように、入退室コントローラ装置１０１は、エリアごとに人の入退場状況を監視し、認証処理を通じて各エリアの所在人数を把握する。また、各エリア４００が複数の領域に区分でき、各領域を利用する利用者が指定されている場合（例えば、利用者ごとに席が割り当てられているオフィス等、なお、このようなエリアを利用者指定エリアと呼ぶ）に、入退室コントローラ装置１０１は利用者ごとに入退場状況を監視して各利用者が利用者指定エリア内に所在しているか否かを判断する（人の入出情報）。
そして、入退室コントローラ装置１０１は、エリアごとの在／不在情報、人の入出情報をデマンド監視制御装置２０１に送信する。
入退室コントローラ装置１０１は、エリア入退場監視部の例である。
【００１２】
また、各エリア４００には、空調システム２０２と、照明システム２０３の一部である複数の照明機器２０３ａが配置されている。また、各照明機器２０３ａは照明機器制御装置２０３ｂに接続されている。
デマンド監視制御装置２０１は、複数のエリア４００に配置されている複数の機器（空調システム２０２、照明システム２０３）を管理し、電力消費のデマンド予測値が目標値を超える場合に、入退室コントローラ装置１０１により判断された各エリアの所在人数に基づいてエリアごとに機器の稼働を制御して各エリアの電力消費量を調整する。デマンド監視制御装置２０１は、機器管理部の例である。
例えば、デマンド監視制御装置２０１は、入退室コントローラ装置１０１により無人と判断されたエリアに配置されている機器の稼働を停止させる。また、入退室コントローラ装置１０１により所在人数が特定数以下と判断されたエリアに配置されている機器の稼働を制御して当該エリアにおける電力消費量を減少させる。具体的には、デマンド監視制御装置２０１は、入退室コントローラ装置１０１からの人の入出情報に基づき、在室者が少ない利用者指定エリアにおいて、在室していない利用者の領域の近傍に配置されている機器の稼働を制御して当該エリアにおける電力消費量を減少させる。
【００１３】
次に、図３を参照して、入退室コントローラ装置１０１の構成例を説明する。
【００１４】
図３において、制御部１０４は、入退室コントローラ装置１０１の動作の全体を制御する。
カードリーダインタフェース部１０５は、入り側カードリーダ１０２及び出側カードリーダ１０３のインタフェースとなり、入り側カードリーダ１０２又は出側カードリーダ１０３から扉５００を通行しようとしている利用者の認証のための認証情報（ユーザＩＤ及び暗証番号等）を入力する。
【００１５】
認証処理部１０６は、カードリーダインタフェース部１０５が入力した認証情報と照合情報記憶部１０９に記憶されている照合情報を照合して、利用者の通行を許可するか否かを認証する。
また、認証処理部１０６は認証処理を通じて各エリアの所在人数を判断する。
例えば、認証処理部１０６は、図５に示す在室情報を利用して、エリアごとに所在人数を判断する。
図５の在室情報において、エリアＩＤは入退室コントローラ装置１０１が監視対象としている各エリアの識別子であり、ユーザＩＤは、認証処理により各エリアに所在している利用者の識別子である。
入り側カードリーダ１０２から入力された認証情報に対して入室を許可した場合に、認証情報に含まれているユーザＩＤを在室情報内の対象となるエリアのユーザＩＤの欄に登録する。一方、出側カードリーダ１０３から入力された認証情報に対して退室を許可した場合に、在室情報内の対象となるエリアのユーザＩＤの欄から認証情報に含まれていたユーザＩＤを削除する。
このようにして、認証処理部１０６は、エリアごとに、所在人数及び所在している利用者のユーザＩＤを管理することができる。
なお、在室情報は在室者情報記憶部１１０に記憶されている。
【００１６】
照合情報記憶部１０９は、登録されている利用者ごとに、認証情報と照合するための照合情報（ユーザＩＤ及び暗証番号等）を記憶している。
【００１７】
扉インタフェース部１０７は、扉５００のインタフェースとなり、認証処理部１０６により利用者が認証された場合に、扉５００を解錠する。
【００１８】
通信部１０８は、デマンド監視制御装置２０１に接続されており、エリアごとの所在人数、エリアごとの在室者のユーザＩＤ等をデマンド監視制御装置２０１に送信する。デマンド監視制御装置２０１は、例えば、図５に示した在室情報をそのまま送信してもよいし、在室情報を加工した情報を送信してもよい。
【００１９】
次に、図４を参照して本実施の形態に係るデマンド監視制御装置２０１の構成例を説明する。
【００２０】
図４において、制御部２０４はデマンド監視制御装置２０１の動作の全体を制御する。
通信部２０５は、入退室コントローラ装置１０１に接続されており、入退室コントローラ装置１０１からエリアごとの所在人数、エリアごとの在室者のユーザＩＤの情報を受信する。
デマンド予測部２０６は、管理対象のビルにおける電力消費量の予測計算を行って、デマンド予測値を算出する。
【００２１】
解析処理部２０７は、デマンド予測部２０６により算出された電力消費のデマンド予測値が目標値を超える場合に、入退室コントローラ装置１０１から受信した各エリアの所在人数、各エリアの在室者のユーザＩＤに基づいてエリアごとに機器の稼働を制御して各エリアの電力消費量を調整する。
また、解析処理部２０７は、機器の稼働を継続させることが要求されている稼働継続エリアの情報を記憶しており、稼働継続エリアが無人の状態であっても、稼働継続エリアに配置されている機器の稼働は継続させる。稼働継続エリアは、例えば、サーバルーム等である。
【００２２】
機器インタフェース部２０８は、各エリアの空調システム２０２、照明システム２０３とのインタフェースとなり、解析処理部２０７の判断に基づき、対象となる機器の稼働停止又は調整を行う。
【００２３】
利用者領域情報記憶部２０９は、例えば、図６に示す利用者領域情報を記憶している。
図６の利用者領域情報では、デマンド監視制御装置２０１が管理対象としているビルのエリアごとに、そのエリアに属する利用者の識別子であるユーザＩＤ及びその利用者が通常所在しているエリア内の領域の識別子である領域ＩＤが管理されている。
例えば、オフィスビルでは、一般的に、フロアー（エリア）とそこで就業する就業者（利用者）は固定的であり、また、各就業者がフロアー内で通常所在している領域（席、個室、ブース等）も決まっている。
利用者領域情報は、このような利用者と、エリアと、エリア内の領域とが固定的な利用者指定エリアに対して、エリアごとに、そのエリアに属する利用者と、利用者が通常所在する領域とを管理する。
【００２４】
領域機器情報記憶部２１０は、例えば、図７に示す領域機器情報を記憶している。
図７の領域機器情報では、デマンド監視制御装置２０１が管理対象としているビルのエリアごとに、そのエリア内の領域の識別子である領域ＩＤ及びその領域で稼働する機器の識別子である機器ＩＤが管理されている。
領域ＩＤは、図６の利用者領域情報の領域ＩＤと共通である。
【００２５】
図６の利用者領域情報と図７の領域機器情報により、解析処理部２０７は、各エリアの領域ごとに、領域に通常所在している利用者と、領域で稼働する機器を判別することができる。
また、入退室コントローラ装置１０１から通知されるエリアごとの在室者のユーザＩＤにより、解析処理部２０７は、各エリアの領域ごとに、利用者の所在人数を知ることができ、所在人数の少ない領域の機器を停止させたり、消費電力の少ないモードに移行させる等の制御ができる。
【００２６】
削減対象機器情報記憶部２１１は、削減対象機器情報を記憶する。
削減対象機器情報は、稼働停止又は調整の対象として予め決められている機器のＩＤが示される情報である。
削減対象機器は、優先度の低い機器である。
【００２７】
次に、図８のフローチャートを参照して、本実施の形態に係る電力デマンド制御システム３００の動作例を説明する。
【００２８】
まず、入退室コントローラ装置１０１の通信部１０８が、エリアごとの在／不在情報、人の入出情報を送信し、デマンド監視制御装置２０１の通信部２０５がこの情報を受信する（Ｓ８０１）。
このエリアごとの在／不在情報、人の入出情報を送受信は周期的に行われる。
なお、以下では、図６に示す在室情報が通信部１０８から通信部２０５に送信されるものとして説明する。
【００２９】
次に、デマンド監視制御装置２０１において、解析処理部２０７がデマンド予測部２０６により算出されたデマンド予測値が目標値を超えるか否かを判断し（Ｓ８０２）、デマンド予測値が目標値を超えない場合（Ｓ８０２でＮＯ）は、処理がＳ８０１に戻る。
一方、デマンド予測値が目標値を超える場合（Ｓ８０２でＹＥＳ）は、解析処理部２０７は、在室情報を調査して、利用者が不在のエリアを検索する（Ｓ８０３）。
【００３０】
不在のエリアがある場合（Ｓ８０４でＹＥＳ）は、次に、解析処理部２０７は、その利用者が不在のエリアが稼働継続エリアであるか否かを判断する（Ｓ８０５）。
不在のエリアが稼働継続エリアでなく、機器の稼働を停止させることが可能である場合（Ｓ８０５でＹＥＳ）は、解析処理部２０７は、領域機器情報を参照して、機器インタフェース部２０８に対象となる機器ＩＤを通知して、機器インタフェース部２０８が対象となる機器を制御して、機器の電源をオフにする（Ｓ８０６）。
一方、利用者が不在のエリアが稼働継続エリアであり、機器の稼働を停止させることができない場合（Ｓ８０５でＮＯ）は、処理がＳ８０２に戻る。
【００３１】
また、Ｓ８０４で、利用者が不在の部屋がない場合は、次に、解析処理部２０７は、在室情報を調査して、利用者が所定人数以下のエリアを検索する（Ｓ８０７）。
利用者の人数が所定人数以下のエリアがあった場合（Ｓ８０８でＹＥＳ）は、解析処理部２０７は、在室情報と利用者領域情報とを参照して、利用者が在席していない領域または在席している利用者が所定人数以下の領域を検索する（Ｓ８０９）。
そのような領域があった場合（Ｓ８１０でＹＥＳ）、解析処理部２０７は、領域機器情報を参照して、機器インタフェース部２０８に対象となる機器ＩＤを通知して、機器インタフェース部２０８が対象となる機器を制御して、機器の稼働を調整する（Ｓ８１１）。より具体的には、機器インタフェース部２０８は、その領域周辺の照明の照度を下げ、また、空調の設定温度を変更し、風量を絞る等の消費電力を減少させるための制御を行う。
一方、Ｓ８１０で該当する領域がない場合は、処理がＳ８０７に戻る。
【００３２】
また、Ｓ８０８において、該当するエリアがない場合は、解析処理部２０７は、再度、デマンド予測値が目標値を超えているか否かを判断し（Ｓ８１２）、デマンド予測値が目標値を超えている場合に（Ｓ８１２でＹＥＳ）、通常のデマンド制御を行う（Ｓ８１３）。具体的には、解析処理部２０７は、削減対象機器情報に示されている削減対象機器の機器ＩＤを機器インタフェース部２０８に通知して、機器インタフェース部２０８が対象となる機器を制御して、機器の電源をオフにする。
一方、Ｓ８１２において、デマンド予測値が目標値を超えていない場合は、処理がＳ８０１に戻る。
【００３３】
なお、図８のフローでは、デマンド予測値が目標値を超えている場合（Ｓ８０２でＹＥＳ）に、利用者が不在のエリアを検索する（Ｓ８０３）こととしているが、先に利用者が不在のエリアを検索し、そのエリアの空調機、照明をオフするようにしてもよい。これにより、消し忘れによる無駄な電力消費を抑制できる効果がある。
【００３４】
このように、本実施の形態によれば、利用者が不在のエリアの機器の稼働を停止させるため、使用頻度に基づいて稼働停止の対象機器を予め設定している場合と異なり、使用頻度の低いエリアに人が在室していた場合に強制的に当該エリアの機器の稼働が停止するということがなく、また、他方、使用頻度の高いエリアが無人である場合には、当該エリアの機器の稼働を停止させて、効率的な電力制御を行うことができる。
【００３５】
また、本実施の形態では、利用者の所在人数が所定数以下のエリアが存在する場合に、在席していない人の領域を割り出し、その領域周辺の空調の設定温度を変更し、風量を絞り、また、照明の照度を下げる。
このように、一部の領域に限定して機器の稼働を制限するため、きめ細かい省エネ制御が可能であり、省エネ効果を得ることができる。
【００３６】
以上、本実施の形態では、人が不在の部屋を判別し、その部屋の照明、空調を遮断する電力デマンド制御システムを説明した。
【００３７】
また、本実施の形態では、人が在室の場合でも、在席していない人の机周辺の空調の温度変更、風量を絞り、また、夏の場合、温度を上げ、冬の場合は温度を下げ、又、在席していない人の机周辺エリアの照明の照度を下げる電力デマンド制御システムを説明した。
【００３８】
最後に、本実施の形態に示した入退室コントローラ装置１０１及びデマンド監視制御装置２０１のハードウェア構成例について説明する。
図９は、本実施の形態に示す入退室コントローラ装置１０１及びデマンド監視制御装置２０１のハードウェア資源の一例を示す図である。
なお、図９の構成は、あくまでも入退室コントローラ装置１０１及びデマンド監視制御装置２０１のハードウェア構成の一例を示すものであり、入退室コントローラ装置１０１及びデマンド監視制御装置２０１のハードウェア構成は図９に記載の構成に限らず、他の構成であってもよい。
【００３９】
図９において、入退室コントローラ装置１０１及びデマンド監視制御装置２０１は、プログラムを実行するＣＰＵ９１１（Ｃｅｎｔｒａｌ  Ｐｒｏｃｅｓｓｉｎｇ  Ｕｎｉｔ、中央処理装置、処理装置、演算装置、マイクロプロセッサ、マイクロコンピュータ、プロセッサともいう）を備えている。
ＣＰＵ９１１は、バス９１２を介して、例えば、ＲＯＭ（Ｒｅａｄ  Ｏｎｌｙ  Ｍｅｍｏｒｙ）９１３、ＲＡＭ（Ｒａｎｄｏｍ  Ａｃｃｅｓｓ  Ｍｅｍｏｒｙ）９１４、通信ボード９１５、表示装置９０１、キーボード９０２、マウス９０３、磁気ディスク装置９２０と接続され、これらのハードウェアデバイスを制御する。
更に、ＣＰＵ９１１は、ＦＤＤ９０４（Ｆｌｅｘｉｂｌｅ  Ｄｉｓｋ  Ｄｒｉｖｅ）、コンパクトディスク装置９０５（ＣＤＤ）、プリンタ装置９０６と接続していてもよい。
また、磁気ディスク装置９２０の代わりに、光ディスク装置、メモリカード（登録商標）読み書き装置などの記憶装置でもよい。
ＲＡＭ９１４は、揮発性メモリの一例である。ＲＯＭ９１３、ＦＤＤ９０４、ＣＤＤ９０５、磁気ディスク装置９２０の記憶媒体は、不揮発性メモリの一例である。これらは、記憶装置の一例である。
通信ボード９１５、キーボード９０２、マウス９０３、ＦＤＤ９０４などは入力装置の一例である。
また、通信ボード９１５、表示装置９０１、プリンタ装置９０６などは出力装置の一例である。
また、入退室コントローラ装置１０１であれば、入退室コントローラ装置１０１のＣＰＵは入り側カードリーダ１０２、出側カードリーダ１０３と接続されている。
また、デマンド監視制御装置２０１であれば、デマンド監視制御装置２０１のＣＰＵは空調システム２０２、照明システム２０３と接続されている。
【００４０】
通信ボード９１５は、ネットワークに接続されている。例えば、通信ボード９１５は、ＬＡＮ（ローカルエリアネットワーク）、インターネット、ＷＡＮ（ワイドエリアネットワーク）、ＳＡＮ（ストレージエリアネットワーク）などに接続されていても構わない。
【００４１】
磁気ディスク装置９２０には、オペレーティングシステム９２１（ＯＳ）、ウィンドウシステム９２２、プログラム群９２３、ファイル群９２４が記憶されている。
プログラム群９２３のプログラムは、ＣＰＵ９１１がオペレーティングシステム９２１、ウィンドウシステム９２２を利用しながら実行する。
【００４２】
また、ＲＡＭ９１４には、ＣＰＵ９１１に実行させるオペレーティングシステム９２１のプログラムやアプリケーションプログラムの少なくとも一部が一時的に格納される。
また、ＲＡＭ９１４には、ＣＰＵ９１１による処理に必要な各種データが格納される。
【００４３】
また、ＲＯＭ９１３には、ＢＩＯＳ（Ｂａｓｉｃ  Ｉｎｐｕｔ  Ｏｕｔｐｕｔ  Ｓｙｓｔｅｍ）プログラムが格納され、磁気ディスク装置９２０にはブートプログラムが格納されている。
入退室コントローラ装置１０１及びデマンド監視制御装置２０１の起動時には、ＲＯＭ９１３のＢＩＯＳプログラム及び磁気ディスク装置９２０のブートプログラムが実行され、ＢＩＯＳプログラム及びブートプログラムによりオペレーティングシステム９２１が起動される。
【００４４】
上記プログラム群９２３には、本実施の形態の説明において「〜部」として説明している機能を実行するプログラムが記憶されている。プログラムは、ＣＰＵ９１１により読み出され実行される。
【００４５】
ファイル群９２４には、本実施の形態の説明において、「〜の判断」、「〜の計算」、「〜の比較」、「〜の照合」、「〜の参照」、「〜の更新」、「〜の設定」、「〜の登録」、「〜の選択」等として説明している処理の結果を示す情報やデータや信号値や変数値やパラメータが、「〜ファイル」や「〜データベース」の各項目として記憶されている。
「〜ファイル」や「〜データベース」は、ディスクやメモリなどの記録媒体に記憶される。ディスクやメモリなどの記憶媒体に記憶された情報やデータや信号値や変数値やパラメータは、読み書き回路を介してＣＰＵ９１１によりメインメモリやキャッシュメモリに読み出され、抽出・検索・参照・比較・演算・計算・処理・編集・出力・印刷・表示などのＣＰＵの動作に用いられる。
抽出・検索・参照・比較・演算・計算・処理・編集・出力・印刷・表示のＣＰＵの動作の間、情報やデータや信号値や変数値やパラメータは、メインメモリ、レジスタ、キャッシュメモリ、バッファメモリ等に一時的に記憶される。
また、本実施の形態で説明しているフローチャートの矢印の部分は主としてデータや信号の入出力を示し、データや信号値は、ＲＡＭ９１４のメモリ、ＦＤＤ９０４のフレキシブルディスク、ＣＤＤ９０５のコンパクトディスク、磁気ディスク装置９２０の磁気ディスク、その他光ディスク、ミニディスク、ＤＶＤ等の記録媒体に記録される。また、データや信号は、バス９１２や信号線やケーブルその他の伝送媒体によりオンライン伝送される。
【００４６】
また、本実施の形態の説明において「〜部」として説明しているものは、「〜回路」、「〜装置」、「〜機器」であってもよく、また、「〜ステップ」、「〜手順」、「〜処理」であってもよい。すなわち、「〜部」として説明しているものは、ＲＯＭ９１３に記憶されたファームウェアで実現されていても構わない。或いは、ソフトウェアのみ、或いは、素子・デバイス・基板・配線などのハードウェアのみ、或いは、ソフトウェアとハードウェアとの組み合わせ、さらには、ファームウェアとの組み合わせで実施されても構わない。ファームウェアとソフトウェアは、プログラムとして、磁気ディスク、フレキシブルディスク、光ディスク、コンパクトディスク、ミニディスク、ＤＶＤ等の記録媒体に記憶される。プログラムはＣＰＵ９１１により読み出され、ＣＰＵ９１１により実行される。すなわち、プログラムは、本実施の形態の「〜部」としてコンピュータを機能させるものである。あるいは、本実施の形態の「〜部」の手順や方法をコンピュータに実行させるものである。
【００４７】
このように、本実施の形態に示す入退室コントローラ装置１０１及びデマンド監視制御装置２０１は、処理装置たるＣＰＵ、記憶装置たるメモリ、磁気ディスク等、入力装置たるキーボード、マウス、通信ボード等、出力装置たる表示装置、通信ボード等を備えるコンピュータであり、上記したように「〜部」として示された機能をこれら処理装置、記憶装置、入力装置、出力装置を用いて実現するものである。
【符号の説明】
【００４８】
１００  入退室管理システム、１０１  入退室コントローラ装置、１０２  入り側カードリーダ、１０３  出側カードリーダ、１０４  制御部、１０５  カードリーダインタフェース部、１０６  認証処理部、１０７  扉インタフェース部、１０８  通信部、１０９  照合情報記憶部、１１０  在室者情報記憶部、２００  ビル管理システム、２０１  デマンド監視制御装置、２０２  空調システム、２０３  照明システム、２０４  制御部、２０５  通信部、２０６  デマンド予測部、２０７  解析処理部、２０８  機器インタフェース部、２０９  利用者領域情報記憶部、２１０  領域機器情報記憶部、２１１  削減対象機器情報記憶部、３００  電力デマンド制御システム、４００  エリア、５００  扉。
【図１】
2011010497.tif 000003
【図２】
2011010497.tif 000004
【図３】
2011010497.tif 000005
【図４】
2011010497.tif 000006
【図５】
2011010497.tif 000007
【図６】
2011010497.tif 000008
【図７】
2011010497.tif 000009
【図８】
2011010497.tif 000010
【図９】
2011010497.tif 000011